【手続補正書】
【提出日】平成21年11月24日(2009.11.24)
【手続補正１】
【補正対象書類名】明細書
【補正対象項目名】発明の名称
【補正方法】変更
【補正の内容】
【発明の名称】表示装置の制御回路、表示装置及び電子機器
【手続補正２】
【補正対象書類名】特許請求の範囲
【補正対象項目名】全文
【補正方法】変更
【補正の内容】
【特許請求の範囲】
【請求項１】
第１乃至第３のビデオデータ記憶手段と、
前記第１乃至第３のビデオデータ記憶手段にビデオデータを書き込むための書き込み手段と、
前記第１のビデオデータ記憶手段へのビデオデータの書き込みと、前記第２のビデオデータ記憶手段へのビデオデータの書き込みとを、１フレーム期間毎に交互に切り替える選択手段と、
前記第１のビデオデータ記憶手段からのビデオデータの読み出しと、前記第２のビデオデータ記憶手段からのビデオデータの読み出しとを、１フレーム期間毎に交互に切り替える表示制御手段と、を有し、
前記第１のビデオデータ記憶手段、前記第２のビデオデータ記憶手段それぞれにおいて、前記ビデオデータの書き込みと前記ビデオデータの読み出しは交互に行われ、
前記第３のビデオデータ記憶手段には、１フレーム期間のうち、１つの画像のビデオデータを書き込む以外の期間に、前記表示制御手段が切り替わることによって読み出されるビデオデータが前記書き込み手段より書き込まれることを特徴とする表示装置の制御回路。
【請求項２】
第１乃至第３のビデオデータ記憶手段と、
前記第１乃至第３のビデオデータ記憶手段にビデオデータを、複数のビットからなるビデオデータ変換して書き込むための書き込み手段と、
前記第１のビデオデータ記憶手段へのビデオデータの書き込みと、前記第２のビデオデータ記憶手段へのビデオデータの書き込みとを、１フレーム期間毎に交互に切り替える選択手段と、
前記第１のビデオデータ記憶手段からのビデオデータの読み出しと、前記第２のビデオデータ記憶手段からのビデオデータの読み出しとを、１フレーム期間毎に交互に切り替える表示制御手段と、を有し、
前記第１のビデオデータ記憶手段、前記第２のビデオデータ記憶手段において、前記ビデオデータの書き込みと前記ビデオデータの読み出しは交互に行われ、
前記第３のビデオデータ記憶手段には、１フレーム期間のうち、１つの画像のビデオデータを書き込む以外の期間に、前記表示制御手段が切り替わることによって読み出されるビデオデータが前記書き込み手段より書き込まれることを特徴とする表示装置の制御回路。
【請求項３】
第１乃至第６のビデオデータ記憶手段と、
前記第１乃至第６のビデオデータ記憶手段にビデオデータを書き込むための書き込み手段と、
前記第１のビデオデータ記憶手段及び前記第２のビデオデータ記憶手段へのビデオデータの書き込みと、前記第３のビデオデータ記憶手段及び前記第４のビデオデータ記憶手段へのビデオデータの書き込みとを、１フレーム期間毎に交互に切り替える選択手段と、
前記第１のビデオデータ記憶手段及び前記第２のビデオデータ記憶手段からのビデオデータの読み出しと、前記第３のビデオデータ記憶手段及び前記第４のビデオデータ記憶手段からのビデオデータの読み出しとを、１フレーム期間毎に交互に切り替える表示制御手段と、を有し、
前記第１のビデオデータ記憶手段及び前記第２のビデオデータ記憶手段における前記ビデオデータの書き込みと、前記第３のビデオデータ記憶手段及び前記第４のビデオデータ記憶手段における前記ビデオデータの書き込みとは、それぞれ１フレーム期間において順に行われ、
前記第１のビデオデータ記憶手段及び前記第２のビデオデータ記憶手段と、前記第３のビデオデータ記憶手段及び前記第４のビデオデータ記憶手段とにおいて、前記ビデオデータの書き込みと前記ビデオデータの読み出しは交互に行われ、
前記第５のビデオデータ記憶手段及び前記第６のビデオデータ記憶手段には、１フレーム期間のうち、１つの画像のビデオデータを書き込む以外の期間に、前記表示制御手段が切り替わることによって読み出されるビデオデータが前記書き込み手段より書き込まれることを特徴とする表示装置の制御回路。
【請求項４】
第１乃至第６のビデオデータ記憶手段と、
前記第１乃至第６のビデオデータ記憶手段にビデオデータを、複数のビットからなるビデオデータ変換して書き込むための書き込み手段と、
前記第１のビデオデータ記憶手段及び前記第２のビデオデータ記憶手段へのビデオデータの書き込みと、前記第３のビデオデータ記憶手段及び前記第４のビデオデータ記憶手段へのビデオデータの書き込みとを、１フレーム期間毎に交互に切り替える選択手段と、
前記第１のビデオデータ記憶手段及び前記第２のビデオデータ記憶手段からのビデオデータの読み出しと、前記第３のビデオデータ記憶手段及び前記第４のビデオデータ記憶手段からのビデオデータの読み出しとを、１フレーム期間毎に交互に切り替える表示制御手段と、を有し、
前記第１のビデオデータ記憶手段及び前記第２のビデオデータ記憶手段における前記ビデオデータの書き込み、及び前記第３のビデオデータ記憶手段及び前記第４のビデオデータ記憶手段における前記ビデオデータの書き込みは、それぞれ１フレーム期間において順に行われ、
前記第１のビデオデータ記憶手段及び前記第２のビデオデータ記憶手段と、前記第３のビデオデータ記憶手段及び前記第４のビデオデータ記憶手段とにおいて、前記ビデオデータの書き込みと前記ビデオデータの読み出しは交互に行われ、
前記第５のビデオデータ記憶手段及び前記第６のビデオデータ記憶手段には、１フレーム期間のうち、１つの画像のビデオデータを書き込む以外の期間に、前記表示制御手段が切り替わることによって読み出されるビデオデータが前記書き込み手段より書き込まれることを特徴とする表示装置の制御回路。
【請求項５】
第１乃至第（ｎ＋２（ｎは自然数））のビデオデータ記憶手段と、
前記第１乃至第（ｎ＋２）のビデオデータ記憶手段にビデオデータを書き込むための書き込み手段と、
第ｎのビデオデータ記憶手段へのビデオデータの書き込みと、前記第（ｎ＋１）のビデオデータ記憶手段へのビデオデータの書き込みとを、１フレーム期間毎に交互に切り替える選択手段と、
前記第ｎのビデオデータ記憶手段からのビデオデータの読み出しと、前記第（ｎ＋１）のビデオデータ記憶手段からのビデオデータの読み出しとを、１フレーム期間毎に交互に切り替える表示制御手段と、を有し、
前記第ｎのビデオデータ記憶手段、前記第（ｎ＋１）のビデオデータ記憶手段それぞれにおいて、前記ビデオデータの書き込みと前記ビデオデータの読み出しは交互に行われ、
前記第（ｎ＋２）のビデオデータ記憶手段には、１フレーム期間のうち、１つの画像のビデオデータを書き込む以外の期間に、前記表示制御手段が切り替わることによって読み出されるビデオデータが前記書き込み手段より書き込まれることを特徴とする表示装置の制御回路。
【請求項６】
第１乃至第（ｎ＋２（ｎは自然数））のビデオデータ記憶手段と、
前記第１乃至第（ｎ＋２）のビデオデータ記憶手段にビデオデータを、複数のビットからなるビデオデータ変換して書き込むための書き込み手段と、
第ｎのビデオデータ記憶手段へのビデオデータの書き込みと、前記第（ｎ＋１）のビデオデータ記憶手段へのビデオデータの書き込みとを、１フレーム期間毎に交互に切り替える選択手段と、
前記第ｎのビデオデータ記憶手段からのビデオデータの読み出しと、前記第（ｎ＋１）のビデオデータ記憶手段からのビデオデータの読み出しとを、１フレーム期間毎に交互に切り替える表示制御手段と、を有し、
前記第ｎのビデオデータ記憶手段、前記第（ｎ＋１）のビデオデータ記憶手段それぞれにおいて、前記ビデオデータの書き込みと前記ビデオデータの読み出しは交互に行われ、
前記第（ｎ＋２）のビデオデータ記憶手段には、１フレーム期間のうち、１つの画像のビデオデータを書き込む以外の期間に、前記表示制御手段が切り替わることによって読み出されるビデオデータが前記書き込み手段より書き込まれることを特徴とする表示装置の制御回路。
【請求項７】
請求項１乃至６のいずれか一に記載の制御回路と、画素ごとに発光素子が設けられた表示パネルと、を有することを特徴とする表示装置。
【請求項８】
請求項７において、前記発光素子は、ＥＬ素子であることを特徴とする表示装置。
【請求項９】
請求項１乃至６のいずれか一に記載の制御回路を含む電子機器。
【請求項１０】
請求項１乃至６のいずれか一において、前記制御回路と、表示パネルと、によって構成された表示装置を含むことを特徴とする電子機器。